(57)【要約】【課題】同一人物の顔画像データをより精度よく判別することができる画像処理装置、画像形成装置、画像処理方法及び画像処理プログラムを提供する。【解決手段】第１顔画像判別部１２により、所定の判別基準に基づいて、複数の顔画像データから第１基準画像データと同一人物の顔画像データを判別した後、第２顔画像判別部１４により、同一の判別基準に基づいて、上記第１基準画像データとは異なる第２基準画像データと同一人物の顔画像データを上記複数の顔画像データから判別する。これにより、第１基準画像データとの比較では同一人物とは判別されなかった顔画像データまで、第２基準画像データとの比較により同一人物と判別することができるので、例えば顔の経年変化により、撮影した日時に大きな間隔がある場合などでも、同一人物として良好に判別することができる。【選択図】          図１
2010026661.tif 000002
【特許請求の範囲】
【請求項１】
複数の顔画像データの中から同一人物の顔画像データを判別するための画像処理装置であって、
上記複数の顔画像データから選択される第１基準画像データを他の顔画像データと比較し、所定の判別基準に基づいて、上記第１基準画像データと同一人物の顔画像データを判別する第１顔画像判別手段と、
上記第１顔画像判別手段により同一人物と判別された１つ又は複数の顔画像データから選択される第２基準画像データを他の顔画像データと比較し、上記所定の判別基準に基づいて、上記第２基準画像データと同一人物の顔画像データを判別する第２顔画像判別手段とを備えたことを特徴とする画像処理装置。
【請求項２】
上記複数の顔画像データから上記第１基準画像データを自動的に選択する第１基準画像データ選択手段を備えたことを特徴とする請求項１に記載の画像処理装置。
【請求項３】
上記第１顔画像判別手段により同一人物と判別された上記１つ又は複数の顔画像データから上記第２基準画像データを自動的に選択する第２基準画像データ選択手段を備えたことを特徴とする請求項１又は２に記載の画像処理装置。
【請求項４】
上記第２基準画像データ選択手段が、上記第１顔画像判別手段により同一人物と判別された顔画像データが複数である場合に、当該複数の顔画像データの全部又は一部のうち、上記第１基準画像データとの一致度が最も低い顔画像データを上記第２基準画像データとして選択することを特徴とする請求項３に記載の画像処理装置。
【請求項５】
上記第１顔画像判別手段又は上記第２顔画像判別手段により同一人物と判別された顔画像データを表示するための表示部を備えたことを特徴とする請求項１〜４のいずれかに記載の画像処理装置。
【請求項６】
複数の顔画像データの中から同一人物の顔画像データを判別し、その同一人物の顔画像データに基づいてアルバムプリントを作成するための画像形成装置であって、
上記複数の顔画像データから選択される第１基準画像データを他の顔画像データと比較し、所定の判別基準に基づいて、上記第１基準画像データと同一人物の顔画像データを判別する第１顔画像判別手段と、
上記第１顔画像判別手段により同一人物と判別された１つ又は複数の顔画像データから選択される第２基準画像データを他の顔画像データと比較し、上記所定の判別基準に基づいて、上記第２基準画像データと同一人物の顔画像データを判別する第２顔画像判別手段と、
少なくとも上記第１顔画像判別手段及び上記第２顔画像判別手段により同一人物と判別された顔画像データを時系列に並べてプリントすることによりアルバムプリントを作成する画像形成手段とを備えたことを特徴とする画像形成装置。
【請求項７】
複数の顔画像データの中から同一人物の顔画像データを判別するための画像処理方法であって、
上記複数の顔画像データから選択される第１基準画像データを他の顔画像データと比較し、所定の判別基準に基づいて、上記第１基準画像データと同一人物の顔画像データを判別する第１顔画像判別ステップと、
上記第１顔画像判別ステップにより同一人物と判別された１つ又は複数の顔画像データから選択される第２基準画像データを他の顔画像データと比較し、上記所定の判別基準に基づいて、上記第２基準画像データと同一人物の顔画像データを判別する第２顔画像判別ステップとを備えたことを特徴とする画像処理方法。
【請求項８】
複数の顔画像データの中から同一人物の顔画像データを判別するための画像処理プログラムであって、
コンピュータを、
上記複数の顔画像データから選択される第１基準画像データを他の顔画像データと比較し、所定の判別基準に基づいて、上記第１基準画像データと同一人物の顔画像データを判別する第１顔画像判別手段と、
上記第１顔画像判別手段により同一人物と判別された１つ又は複数の顔画像データから選択される第２基準画像データを他の顔画像データと比較し、上記所定の判別基準に基づいて、上記第２基準画像データと同一人物の顔画像データを判別する第２顔画像判別手段として機能させることを特徴とする画像処理プログラム。
【発明の詳細な説明】
【技術分野】
【０００１】
本発明は、複数の顔画像データの中から同一人物の顔画像データを判別するための画像処理装置、画像形成装置、画像処理方法及び画像処理プログラムに関するものである。
【背景技術】
【０００２】
従来から、顔画像データに基づいて顔認証を行う技術が知られている。このような顔認証は、所定の判別基準に基づいて、比較対象となる顔画像データ同士が同一人物のものであるか否かを判別することにより行われる。この判別は、例えば目、鼻、口などの特徴部分の一致度に基づいて行われる。顔認証（個人認識）を用いた画像処理装置としては、下記特許文献１などに開示されている技術が知られている。
【０００３】
【特許文献１】特開２００３−１５０９３２号公報
【発明の開示】
【発明が解決しようとする課題】
【０００４】
しかしながら、顔の経年変化により、撮影した日時に大きな間隔がある場合などには、同一人物の顔画像データ同士であっても、同一人物と判別されない場合がある。そこで、上記判別基準を低く設定することにより、同一人物と判別される可能性を高くすることも考えられるが、そのような構成では、別人物の顔画像データ同士を同一人物と認識する可能性が高くなってしまう。
【０００５】
本発明は、上記実情に鑑みてなされたものであり、同一人物の顔画像データをより精度よく判別することができる画像処理装置、画像形成装置、画像処理方法及び画像処理プログラムを提供することを目的とする。
【課題を解決するための手段】
【０００６】
第１の本発明に係る画像処理装置は、複数の顔画像データの中から同一人物の顔画像データを判別するための画像処理装置であって、上記複数の顔画像データから選択される第１基準画像データを他の顔画像データと比較し、所定の判別基準に基づいて、上記第１基準画像データと同一人物の顔画像データを判別する第１顔画像判別手段と、上記第１顔画像判別手段により同一人物と判別された１つ又は複数の顔画像データから選択される第２基準画像データを他の顔画像データと比較し、上記所定の判別基準に基づいて、上記第２基準画像データと同一人物の顔画像データを判別する第２顔画像判別手段とを備えたことを特徴とする。
【０００７】
このような構成によれば、所定の判別基準に基づいて、複数の顔画像データから第１基準画像データと同一人物の顔画像データを判別した後、同一の判別基準に基づいて、上記第１基準画像データとは異なる第２基準画像データと同一人物の顔画像データを上記複数の顔画像データから判別することができる。すなわち、第１基準画像データとの比較では同一人物とは判断されなかった顔画像データを、当該第１基準画像データと同一人物と判断された顔画像データから選択される第２基準画像データと比較することにより、当該第２基準画像データと同一人物の顔画像データを判別することができる。
【０００８】
これにより、第１基準画像データとの比較では同一人物とは判別されなかった顔画像データまで、第２基準画像データとの比較により同一人物と判別することができるので、例えば顔の経年変化により、撮影した日時に大きな間隔がある場合などでも、同一人物として良好に判別することができる。特に、単に判別基準を低く設定するのではなく、基準画像データを変更して段階的に判別を行うことにより、同一人物の顔画像データをより精度よく判別することができる。
【０００９】
第２の本発明に係る画像処理装置は、上記複数の顔画像データから上記第１基準画像データを自動的に選択する第１基準画像データ選択手段を備えたことを特徴とする。
【００１０】
このような構成によれば、第１基準画像データを自動的に選択することができるので、手動で第１基準画像データを選択するような構成と比較して、作業をより簡略化することができる。
【００１１】
第３の本発明に係る画像処理装置は、上記第１顔画像判別手段により同一人物と判別された上記１つ又は複数の顔画像データから上記第２基準画像データを自動的に選択する第２基準画像データ選択手段を備えたことを特徴とする。
【００１２】
このような構成によれば、第２基準画像データを自動的に選択することができるので、手動で第２基準画像データを選択するような構成と比較して、作業をより簡略化することができる。
【００１３】
第４の本発明に係る画像処理装置は、上記第２基準画像データ選択手段が、上記第１顔画像判別手段により同一人物と判別された顔画像データが複数である場合に、当該複数の顔画像データの全部又は一部のうち、上記第１基準画像データとの一致度が最も低い顔画像データを上記第２基準画像データとして選択することを特徴とする。
【００１４】
このような構成によれば、第１基準画像データとの比較により同一人物と判断された顔画像データの全部又は一部のうち、当該第１基準画像データとの一致度が最も低い顔画像データを第２基準画像データとして、当該第２基準画像データを他の顔画像データと比較することができる。これにより、第１基準画像データとの比較では同一人物とは判断されなかった顔画像データの中から、より多くの顔画像データを同一人物のものとして精度よく判別することができる。
【００１５】
第５の本発明に係る画像処理装置は、上記第１顔画像判別手段又は上記第２顔画像判別手段により同一人物と判別された顔画像データを表示するための表示部を備えたことを特徴とする。
【００１６】
このような構成によれば、第１顔画像判別手段により第１基準画像データと同一人物と判別され、又は、第２顔画像判別手段により第２基準画像データと同一人物と判別された顔画像データが、表示部に表示される。したがって、表示部に表示された顔画像データの中から、同一人物ではない顔画像データをユーザが発見した場合には、例えば操作部を操作するなどして、その顔画像データを同一人物の顔画像データから削除することができる。
【００１７】
第６の本発明に係る画像形成装置は、複数の顔画像データの中から同一人物の顔画像データを判別し、その同一人物の顔画像データに基づいてアルバムプリントを作成するための画像形成装置であって、上記複数の顔画像データから選択される第１基準画像データを他の顔画像データと比較し、所定の判別基準に基づいて、上記第１基準画像データと同一人物の顔画像データを判別する第１顔画像判別手段と、上記第１顔画像判別手段により同一人物と判別された１つ又は複数の顔画像データから選択される第２基準画像データを他の顔画像データと比較し、上記所定の判別基準に基づいて、上記第２基準画像データと同一人物の顔画像データを判別する第２顔画像判別手段と、少なくとも上記第１顔画像判別手段及び上記第２顔画像判別手段により同一人物と判別された顔画像データを時系列に並べてプリントすることによりアルバムプリントを作成する画像形成手段とを備えたことを特徴とする。
【００１８】
このような構成によれば、少なくとも第１顔画像判別手段及び第２顔画像判別手段により同一人物と判別された顔画像データが時系列に並べてプリントされたアルバムプリントを作成することができる。したがって、作成されたアルバムプリントを製本することにより、同一人物の経時的変化を表すような趣のあるアルバムを作製することができる。
【００１９】
第７の本発明に係る画像処理方法は、複数の顔画像データの中から同一人物の顔画像データを判別するための画像処理方法であって、上記複数の顔画像データから選択される第１基準画像データを他の顔画像データと比較し、所定の判別基準に基づいて、上記第１基準画像データと同一人物の顔画像データを判別する第１顔画像判別ステップと、上記第１顔画像判別ステップにより同一人物と判別された１つ又は複数の顔画像データから選択される第２基準画像データを他の顔画像データと比較し、上記所定の判別基準に基づいて、上記第２基準画像データと同一人物の顔画像データを判別する第２顔画像判別ステップとを備えたことを特徴とする。
【００２０】
このような構成によれば、第１の本発明に係る画像処理装置と同様の効果を奏する画像処理方法を提供することができる。
【００２１】
第８の本発明に係る画像処理プログラムは、複数の顔画像データの中から同一人物の顔画像データを判別するための画像処理プログラムであって、コンピュータを、上記複数の顔画像データから選択される第１基準画像データを他の顔画像データと比較し、所定の判別基準に基づいて、上記第１基準画像データと同一人物の顔画像データを判別する第１顔画像判別手段と、上記第１顔画像判別手段により同一人物と判別された１つ又は複数の顔画像データから選択される第２基準画像データを他の顔画像データと比較し、上記所定の判別基準に基づいて、上記第２基準画像データと同一人物の顔画像データを判別する第２顔画像判別手段として機能させることを特徴とする。
【００２２】
このような構成によれば、第１の本発明に係る画像処理装置と同様の効果を奏する画像処理プログラムを提供することができる。
【発明の効果】
【００２３】
本発明によれば、所定の判別基準に基づいて、複数の顔画像データから第１基準画像データと同一人物の顔画像データを判別した後、同一の判別基準に基づいて、上記第１基準画像データとは異なる第２基準画像データと同一人物の顔画像データを上記複数の顔画像データから判別することにより、同一人物の顔画像データをより精度よく判別することができる。
【発明を実施するための最良の形態】
【００２４】
図１は、本発明の一実施形態に係る画像処理装置１の構成を示したブロック図である。この画像処理装置１は、例えばＣＰＵ(Central Processing Unit)からなる制御部を備えており、当該制御部がコンピュータプログラムを実行することにより、各種機能ブロックとして機能するようになっている。具体的には、上記制御部が、第１基準画像データ選択部１１、第１顔画像判別部１２、第２基準画像データ選択部１３及び第２顔画像判別部１４などとして機能するようになっている。
【００２５】
また、画像処理装置１は、例えばＲＡＭ(Random Access Memory)からなるメモリを備えており、当該メモリの記憶領域に、各種記憶部が割り当てられている。具体的には、上記メモリに、初期顔画像データ記憶部２１及び同一人物顔画像データ記憶部２２などが割り当てられている。ただし、上記各記憶部は、別々のメモリにより構成されるものであってもよい。また、上記各記憶部は、画像処理装置１に内蔵されたような構成に限らず、外部メモリにより構成されていてもよい。
【００２６】
初期顔画像データ記憶部２１には、複数の顔画像データが記憶されている。この初期顔画像データ記憶部２１に記憶される顔画像データとしては、現像済み写真フィルムの各コマ画像から読み取った顔画像データや、デジタルカメラで撮影することにより得られた顔画像データなどが挙げられる。各顔画像データには、例えば撮影日時などの時間情報が対応付けて記憶されている。上記時間情報は、時間を表す情報であれば、撮影時にカメラの機能によって自動的に付与されるものであってもよいし、ユーザの操作によって付与されるものであってもよい。
【００２７】
上記顔画像データは、人物の顔画像を含むような画像データであれば、大部分が顔画像からなるような画像データであってもよいし、大部分が背景画像からなるような画像データであってもよい。この例では、初期顔画像データ記憶部２１には、同一人物だけでなく、異なる人物の顔画像データも記憶されている。また、初期顔画像データ記憶部２１に記憶されている同一人物の各顔画像データは、数年の期間内ではなく、１０年以上、例えば数十年の期間にわたって撮影された顔画像データからなり、顔の経年変化により、同一人物であっても顔画像の変化が大きく、同一人物と判断することが比較的難しい。
【００２８】
第１基準画像データ選択部１１は、初期顔画像データ記憶部２１に記憶されている複数の顔画像データから、第１基準画像データを自動的に選択する第１基準画像データ選択手段である。上記第１基準画像データは、初期顔画像データ記憶部２１に記憶されている任意の顔画像データである。第１基準画像データ選択部１１は、第１基準画像データをランダムに選択するような構成であってもよいし、予め入力されている情報などに基づいて第１基準画像データを選択するような構成であってもよい。ただし、第１基準画像データは、自動的に選択されるような構成に限らず、ユーザが所望の顔画像データを手動で選択するような構成であってもよい。
【００２９】
当該画像処理装置１には、例えば液晶表示器などにより構成される表示部３１が備えられている。初期顔画像データ記憶部２１に記憶されている複数の顔画像データは、表示部３１に表示することができるようになっており、ユーザが所望の人物の顔画像データを第１基準画像データとして手動で選択する場合には、操作部（図示せず）を操作することにより、表示部３１に表示される各顔画像データの中から容易に選択することができる。
【００３０】
第１顔画像判別部１２は、選択された第１基準画像データを初期顔画像データ記憶部２１に記憶されている他の顔画像データと比較し、所定の判別基準に基づいて、第１基準画像データと同一人物の顔画像データを判別する第１顔画像判別手段である。この第１顔画像判別部１２は、周知の顔認証技術を用いて同一人物の顔画像データを判別するものであり、例えば目、鼻、口などの特徴部分の一致度が上記所定の判別基準を満たすか否かに基づいて、同一人物の顔画像データを判別する。なお、顔認証の方法としては、上記のような方法の他、パターンマッチングを用いた方法などの各種方法が知られており、それらの各方法に応じた判別基準を上記所定の判別基準として採用することができる。第１顔画像判別部１２により第１基準画像データと同一人物と判別された顔画像データは、同一人物顔画像データ記憶部２２に記憶される。このとき、第１基準画像データも一緒に同一人物顔画像データ記憶部２２に記憶されるようになっている。
【００３１】
第１顔画像判別部１２により第１基準画像データと同一人物と判別され、同一人物顔画像データ記憶部２２に記憶された顔画像データは、表示部３１に表示されるようになっている。したがって、表示部３１に表示された顔画像データの中から、同一人物ではない顔画像データをユーザが発見した場合には、操作部を操作することにより、その顔画像データを同一人物顔画像データ記憶部２２から削除することができる。
【００３２】
第２基準画像データ選択部１３は、第１顔画像判別部１２により同一人物と判別された１つ又は複数の顔画像データ、すなわち同一人物顔画像データ記憶部２２に記憶されている顔画像データから、第２基準画像データを自動的に選択する第２基準画像データ選択手段である。上記第２基準画像データは、同一人物顔画像データ記憶部２２に記憶されている顔画像データのうち、第１基準画像データを除く任意の顔画像データである。
【００３３】
この例では、第２基準画像データ選択部１３は、同一人物顔画像データ記憶部２２に記憶されている顔画像データが複数である場合に、それらの顔画像データのうち、対応付けられている時間情報に基づいて、第１基準画像データに対する時間間隔が最も長いと判断される顔画像データを、第２基準画像データとして選択するようになっている。すなわち、第１顔画像判別部１２により同一人物と判別された顔画像データの中から同一人物でない顔画像データを同一人物顔画像データ記憶部２２から削除した場合には、同一人物と判別された顔画像データのうちその削除された顔画像データを除く一部の顔画像データの中から第２基準画像データが選択される。一方、第１顔画像判別部１２により同一人物と判別された顔画像データの全部が同一人物顔画像データ記憶部２２に記憶されている場合には、その全部の顔画像データの中から第２基準画像データが選択される。第１基準画像データに対する時間間隔が最も長い顔画像データは、たとえ同一人物であっても顔の経年変化の影響があるため、第１基準画像データとの一致度が最も低い。
【００３４】
ただし、第１顔画像判別部１２により同一人物と判別された顔画像データが複数である場合に、第２基準画像データ選択部１３が、第１基準画像データとの一致度が最も低い顔画像データを第２基準画像データとして選択する際の態様は、上記のような態様に限らず、例えば周知の年齢検出技術を用いて行われるような態様であってもよい。この場合、年齢検出技術により第１基準画像データから検出された年齢に対して、最も年齢差のある顔画像データが第２基準画像データとして選択されるような構成であってもよい。
【００３５】
なお、第２基準画像データ選択部１３は、第２基準画像データをランダムに選択するような構成であってもよいし、予め入力されている情報などに基づいて第２基準画像データを選択するような構成であってもよい。また、第２基準画像データは、自動的に選択されるような構成に限らず、ユーザが所望の顔画像データを手動で選択するような構成であってもよい。
【００３６】
第２顔画像判別部１４は、選択された第２基準画像データを初期顔画像データ記憶部２１に記憶されている他の顔画像データと比較し、第１顔画像判別部１２と同一の判別基準に基づいて、第２基準画像データと同一人物の顔画像データを判別する第２顔画像判別手段である。この第２顔画像判別部１４は、第１顔画像判別部１２と同様、周知の顔認証技術を用いて同一人物の顔画像データを判別するものである。第２顔画像判別部１４により第２基準画像データと同一人物と判別された顔画像データは、同一人物顔画像データ記憶部２２に記憶される。このとき、既に同一人物顔画像データ記憶部２２に記憶されている顔画像データについては、表示部３１に対する表示又は音声などによって、同一人物である可能性が高い旨を報知するような構成であってもよい。
【００３７】
ただし、第２顔画像判別部１４は、選択された第２基準画像データを、初期顔画像データ記憶部２１に記憶されている当該第２基準画像データ以外の全ての顔画像データと比較するような構成に限らず、例えば、第１顔画像判別部１２により同一人物と判別された顔画像データ以外の顔画像データと比較するような構成であってもよい。
【００３８】
第２顔画像判別部１４により第２基準画像データと同一人物と判別され、同一人物顔画像データ記憶部２２に記憶された顔画像データは、表示部３１に表示されるようになっている。したがって、表示部３１に表示された顔画像データの中から、同一人物ではない顔画像データをユーザが発見した場合には、操作部を操作することにより、その顔画像データを同一人物顔画像データ記憶部２２から削除することができる。なお、第１顔画像判別部１２により同一人物と判別された顔画像データと、第２顔画像判別部１４により同一人物と判別された顔画像データとは、表示部３１に別々に表示されてもよいし、一緒に表示されてもよい。
【００３９】
第１顔画像判別部１２及び第２顔画像判別部１４により同一人物と判別され、同一人物顔画像データ記憶部２２に記憶された顔画像データは、画像形成手段としての画像形成部１５に送られ、当該画像形成部１５において、同一人物顔画像データ記憶部２２に記憶されている顔画像データが時系列に並べてプリントされることにより、アルバムプリントが作成される。このようにして作成されたアルバムプリントを製本することにより、同一人物の経時的変化を表すような趣のあるアルバムを作製することができる。なお、各顔画像データは、それぞれ対応付けられている時間情報に基づいて時系列に並べられる。上記画像形成部１５には、写真プリント用のペーパーに対して画像の焼付露光を行うような周知の構成を採用することができ、当該画像形成部１５及び画像処理装置１は、写真プリントを作成するための画像形成装置を構成している。
【００４０】
図２は、複数の顔画像データの中から同一人物の顔画像データを判別する際の処理の一例を示したフローチャートである。
【００４１】
図２に示すように、まず、初期顔画像データ記憶部２１に記憶されている複数の顔画像データの中から、１つの第１基準画像データが選択される（ステップＳ１０１：第１基準画像データ選択ステップ）。その後、選択された第１基準画像データが初期顔画像データ記憶部２１に記憶されている他の顔画像データと比較され、所定の判別基準に基づいて、第１基準画像データと同一人物の顔画像データが判別される（ステップＳ１０２：第１顔画像判別ステップ）。
【００４２】
次に、同一人物と判別された顔画像データから第２基準画像データが選択される（ステップＳ１０３〜Ｓ１０５：第２基準画像データ選択ステップ）。具体的には、同一人物顔画像データ記憶部２２に記憶されている顔画像データが複数である場合には（ステップＳ１０３でＹｅｓ）、それらの顔画像データの中から、上述したような態様により、第１基準画像データとの一致度が最も低い顔画像データが第２基準画像データとして選択される（ステップＳ１０４）。一方、同一人物顔画像データ記憶部２２に記憶されている顔画像データが１つである場合には（ステップＳ１０３でＮｏ）、その顔画像データが第２基準画像データとして選択される（ステップＳ１０５）。
【００４３】
その後、上記のようにして選択された第２基準画像データが初期顔画像データ記憶部２１に記憶されている他の顔画像データと比較され、上記所定の判別基準に基づいて、第２基準画像データと同一人物の顔画像データが判別される（ステップＳ１０６：第２顔画像判別ステップ）。
【００４４】
本実施形態では、所定の判別基準に基づいて、複数の顔画像データから第１基準画像データと同一人物の顔画像データを判別した後、同一の判別基準に基づいて、上記第１基準画像データとは異なる第２基準画像データと同一人物の顔画像データを上記複数の顔画像データから判別することができる。すなわち、第１基準画像データとの比較では同一人物とは判断されなかった顔画像データを、当該第１基準画像データと同一人物と判断された顔画像データから選択される第２基準画像データと比較することにより、当該第２基準画像データと同一人物の顔画像データを判別することができる。
【００４５】
これにより、第１基準画像データとの比較では同一人物とは判別されなかった顔画像データまで、第２基準画像データとの比較により同一人物と判別することができるので、例えば顔の経年変化により、撮影した日時に大きな間隔がある場合などでも、同一人物として良好に判別することができる。特に、単に判別基準を低く設定するのではなく、基準画像データを変更して段階的に判別を行うことにより、同一人物の顔画像データをより精度よく判別することができる。
【００４６】
また、本実施形態のように第１基準画像データを自動的に選択するような構成であれば、手動で第１基準画像データを選択するような構成と比較して、作業をより簡略化することができる。同様に、第２基準画像データを自動的に選択するような構成であれば、手動で第２基準画像データを選択するような構成と比較して、作業をより簡略化することができる。
【００４７】
特に、本実施形態では、第１基準画像データとの比較により同一人物と判断された顔画像データの全部又は一部のうち、当該第１基準画像データとの一致度が最も低い顔画像データを第２基準画像データとして、当該第２基準画像データを他の顔画像データと比較することができる。これにより、第１基準画像データとの比較では同一人物とは判断されなかった顔画像データの中から、より多くの顔画像データを同一人物のものとして精度よく判別することができる。
【００４８】
以上の実施形態では、初期顔画像データ記憶部２１に記憶されている複数の顔画像データに対して、第１顔画像判別部１２及び第２顔画像判別部１４により、同一人物であるか否かの判別を２回だけ行うような構成について説明した。しかし、このような構成に限らず、図２のステップＳ１０３〜Ｓ１０６の処理を繰り返し行うことにより、同一人物であるか否かの判別を３回以上行うような構成であってもよい。これより、複数の顔画像データの中から、より多くの顔画像データを同一人物のものとして精度よく判別することができる。
【図面の簡単な説明】
【００４９】
【図１】本発明の一実施形態に係る画像処理装置の構成を示したブロック図である。
【図２】複数の顔画像データの中から同一人物の顔画像データを判別する際の処理の一例を示したフローチャートである。
【符号の説明】
【００５０】
１    画像処理装置
１１    基準画像データ選択部
１２    顔画像判別部
１３    基準画像データ選択部
１４    顔画像判別部
１５    画像形成部
２１    初期顔画像データ記憶部
２２    同一人物顔画像データ記憶部
３１    表示部
【図１】
2010026661.tif 000003
【図２】
2010026661.tif 000004